(57)【要約】【課題】通話が切断された場合にユーザの煩雑な操作を必要とすることなく速やかに擬似通話を行うことができる擬似通話装置及び方法を提供する。【解決手段】携帯電話機１は、無線通信ネットワークに接続して通話先との通話を実現する無線通信部２２と、通話先との間の通話状態を検出する通話状態検出部２８ａと、無線通信部２２による通話が実現されていない状態で擬似通話を実現する擬似通話部２８ｂと、通話状態検出部２８ａによって通話先との間の通話切断が検出された場合に、擬似通話部２８ｂを制御して擬似通話を開始させる制御部２８とを備える。【選択図】図２
2011009941.tif 000002
【特許請求の範囲】
【請求項１】
無線通信ネットワークに接続して通話先との通話を実現する通信部と、
前記通話先との間の通話状態を検出する検出部と、
前記通信部による通話が実現されていない状態で擬似通話を実現する擬似通話部と、
前記検出部によって前記通話先との間の通話切断が検出された場合に、前記擬似通話部を制御して前記擬似通話を開始させる制御部と
を備えることを特徴とする擬似通話装置。
【請求項２】
前記検出部は、前記無線通信ネットワークを介して接続を切断する旨の信号が送信されてきた場合に、前記通話先との間の通話切断を検出することを特徴とする請求項１記載の擬似通話装置。
【請求項３】
操作部を備えており、
前記検出部は、前記操作部の操作によって通話を終了すべき旨の指示がなされた場合に、前記通話先との間の通話切断を検出する
ことを特徴とする請求項１記載の擬似通話装置。
【請求項４】
外部の明るさを検出する光センサを備えており、
前記制御部は、前記検出部によって前記通話先との間の通話切断が検出され、且つ前記光センサの検出結果が予め設定された閾値よりも低い場合に、前記擬似通話部を制御して前記擬似通話を開始させる
ことを特徴とする請求項１から請求項３の何れか一項に記載の擬似通話装置。
【請求項５】
前記制御部は、前記検出部によって前記通話先との間の通話切断が検出され、且つ前記通話切断が検出された時刻が予め設定された所定の時間帯である場合に、前記擬似通話部を制御して前記擬似通話を開始させることを特徴とする請求項１から請求項３の何れか一項に記載の擬似通話装置。
【請求項６】
前記擬似通話装置の移動を検出する移動検出部を備えており、
前記制御部は、前記検出部によって前記通話先との間の通話切断が検出され、且つ前記移動検出部によって移動が検出されている場合に、前記擬似通話部を制御して前記擬似通話を開始させる
ことを特徴とする請求項１から請求項３の何れか一項に記載の擬似通話装置。
【請求項７】
前記制御部は、前記擬似通話部によって前記擬似通話が実現されている最中に前記通信部によって通話が開始された場合には前記擬似通話部を制御して前記擬似通話を中断させ、前記通信部による通話が開始されてから予め設定された時間内に前記通信部による通話が終了した場合には前記擬似通話部を制御して前記擬似通話を再開させることを特徴とする請求項１から請求項６の何れか一項に記載の擬似通話装置。
【請求項８】
無線通信ネットワークに接続して通話先との通話を実現する通信ステップと、
前記通話先との間の通話状態を検出する検出ステップと、
前記通話先との間の通話切断が検出されたときに擬似通話を開始させる擬似通話ステップと
を有することを特徴とする擬似通話方法。
【発明の詳細な説明】
【技術分野】
【０００１】
本発明は、擬似通話装置及び方法に関する。
【背景技術】
【０００２】
擬似通話装置は、実際の通話を行うことなく擬似的に通話を装うための装置であり、例えば携帯電話機等の携帯性を有する電子機器に設けられる。携帯電話機等を用いて通話が行われている状況下においては、そのユーザは異常が生じた旨や現在の場所を相手方に即座に伝えることができるため、そのユーザに危害を加えようとする者が思い留まることによって犯罪の発生が抑制される。携帯電話機等の電子機器に擬似通話装置を設けることで、通話相手が居ない状況下においても通話を装うことができるため、防犯効果を高めることができる。
【０００３】
以下の特許文献１には、擬似通話装置を備える携帯電話機の一例が開示されている。具体的には、擬似通話に関する複数の操作部（擬似着信操作部、擬似応答操作部、及び擬似切断操作部）を備えており、携帯電話機の動作モードが防犯モードに設定されている場合に、ユーザによって擬似着信操作部が操作されると着信音（擬似的な着信音）を発生させ、その後ユーザによって擬似応答操作部が操作されると着信音の発生を停止して擬似通話の状態になり、その後にユーザによって擬似切断操作部が操作されると擬似通話を終了させる携帯電話機が開示されている。
【先行技術文献】
【特許文献】
【０００４】
【特許文献１】特開２００２−３４４５７９号公報
【発明の概要】
【発明が解決しようとする課題】
【０００５】
ところで、上述した通り、上記の特許文献１に開示された携帯電話機で擬似通話を行うためには、ユーザはまず擬似的な着信音を発生させるための操作（擬似着信操作部の操作）を行う必要があり、その操作によって着信音が発生した後に擬似応答操作部を操作することによって初めて擬似通話の状態になる。このように、従来は、擬似通話の状態にするために多くの操作が必要になり、迅速に擬似通話を行うことができないという問題があった。
【０００６】
ここで、携帯電話機を用いた通話が何らかの原因で切断された状況を考えると、防犯上の観点からは、通話が切断されてから速やかに擬似通話が実現されるのが望ましい。しかしながら、上述の特許文献１に開示された携帯電話機のように、擬似通話の状態にするために多くの操作が必要になると、通話が切断されてから擬似通話の状態になるまでに時間を要し、その間は防犯効果が低下すると考えられる。
【０００７】
本発明は、上記事情に鑑みてなされたものであり、通話が切断された場合にユーザの煩雑な操作を必要とすることなく速やかに擬似通話を行うことができる擬似通話装置及び方法を提供することを目的とする。
【課題を解決するための手段】
【０００８】
上記課題を解決するために、本発明の擬似通話装置は、無線通信ネットワークに接続して通話先との通話を実現する通信部と、前記通話先との間の通話状態を検出する検出部と、前記通信部による通話が実現されていない状態で擬似通話を実現する擬似通話部と、前記検出部によって前記通話先との間の通話切断が検出された場合に、前記擬似通話部を制御して前記擬似通話を開始させる制御部とを備えることを特徴としている。
また、本発明の擬似通話装置は、前記検出部が、前記無線通信ネットワークを介して接続を切断する旨の信号が送信されてきた場合に、前記通話先との間の通話切断を検出することを特徴としている。
また、本発明の擬似通話装置は、操作部を備えており、前記検出部は、前記操作部の操作によって通話を終了すべき旨の指示がなされた場合に、前記通話先との間の通話切断を検出することを特徴としている。
また、本発明の擬似通話装置は、外部の明るさを検出する光センサを備えており、前記制御部は、前記検出部によって前記通話先との間の通話切断が検出され、且つ前記光センサの検出結果が予め設定された閾値よりも低い場合に、前記擬似通話部を制御して前記擬似通話を開始させることを特徴としている。
また、本発明の擬似通話装置は、前記制御部が、前記検出部によって前記通話先との間の通話切断が検出され、且つ前記通話切断が検出された時刻が予め設定された所定の時間帯である場合に、前記擬似通話部を制御して前記擬似通話を開始させることを特徴としている。
また、本発明の擬似通話装置は、前記擬似通話装置の移動を検出する移動検出部を備えており、前記制御部は、前記検出部によって前記通話先との間の通話切断が検出され、且つ前記移動検出部によって移動が検出されている場合に、前記擬似通話部を制御して前記擬似通話を開始させることを特徴としている。
また、本発明の擬似通話装置は、前記制御部が、前記擬似通話部によって前記擬似通話が実現されている最中に前記通信部によって通話が開始された場合には前記擬似通話部を制御して前記擬似通話を中断させ、前記通信部による通話が開始されてから予め設定された時間内に前記通信部による通話が終了した場合には前記擬似通話部を制御して前記擬似通話を再開させることを特徴としている。
本発明の擬似通話方法は、無線通信ネットワークに接続して通話先との通話を実現する通信ステップと、前記通話先との間の通話状態を検出する検出ステップと、前記通話先との間の通話切断が検出されたときに擬似通話を開始させる擬似通話ステップとを有することを特徴としている。
【発明の効果】
【０００９】
本発明によれば、通話が切断された場合にユーザの煩雑な操作を必要とすることなく速やかに擬似通話を行うことができ、この結果として防犯効果を向上させることができるという効果がある。
【図面の簡単な説明】
【００１０】
【図１】本発明の一実施形態による擬似通話装置を備える携帯電話機の外観斜視図である。
【図２】携帯電話機１の要部構成を示すブロック図である。
【図３】携帯電話機１における擬似通話の自動開始動作をフローチャートである。
【図４】携帯電話機１における擬似通話の自動再開動作を示すフローチャートである。
【発明を実施するための形態】
【００１１】
以下、図面を参照して本発明の一実施形態による擬似通話装置及び方法について詳細に説明する。尚、本実施形態では、擬似通話装置が携帯電話機に設けられた態様について説明する。図１は、本発明の一実施形態による擬似通話装置を備える携帯電話機の外観斜視図である。図１に示す通り、携帯電話機１は、第一筐体１１、第一筐体１１の厚さ方向に重ね合わせ可能な第二筐体１２、及び第一筐体１１と第二筐体１２とを相互に折り畳み自在に連結するヒンジ部１３を備えている。ヒンジ部１３は、第一筐体１１の基端部１１ａと第二筐体１２の基端部１２ａとを連結するように配されている。
【００１２】
第二筐体１２の内部には、各種情報を表示する表示領域１４ａを有するＬＣＤ（Liquid Crystal Display：液晶表示装置）又はＥＬ（Electro Luminescence：有機ＥＬ）ディスプレイ等からなる表示部１４及び通話用のスピーカ１５が設けられている。表示部１４の表示領域１４ａは、第一筐体１１と第二筐体１２とを相互に重ね合わせた状態において第一筐体１１に対向する第二筐体１２の表面１２ｃ側に露出している。スピーカ１５は、基端部１２ａとは反対側に位置する第二筐体１２の先端部１２ｂに配されており、第二筐体１２の表面１２ｃから第二筐体１２の内部空間に貫通する開口部１２ｄを介して外方に露出している。
【００１３】
第一筐体１１の内部には、テンキー１６ａ、通話キー１６ｂ、終話キー１６ｃ、及び多方向キー１６ｄ等の各種の押下操作可能な複数の操作キーを備えるキー操作部１６及び通話用のマイクロフォン１７が設けられている。尚、上記の通話キー１６ｂは擬似通話機能を動作させるキーとしても用いられ、上記の終話キー１６ｃは携帯電話機１の電源をオン（投入）又はオフ（切断）するための電源キーとしても用いられる。キー操作部１６は、第一筐体１１と第二筐体１２とを相互に重ね合わせた状態において第二筐体１２に対向する第一筐体１１の表面１１ｃから外方に露出している。
【００１４】
マイクロフォン１７は、基端部１１ａとは反対側に位置する第一筐体１１の先端部１１ｂに配されており、第一筐体１１の表面１１ｃから第一筐体１１の内部空間に貫通する開口部１１ｄを介して外方に露出している。尚、第一筐体１１の内部には、キースイッチ、シールドケース、回路基板、及びバッテリー（何れも不図示）等が重ねて配されている。また、第一筐体１１内部の先端部１１ｂ側には、無線通信用のアンテナ２１（図２参照）が収容されている。
【００１５】
図２は、携帯電話機１の要部構成を示すブロック図である。図２に示す通り、携帯電話機１は、図１を用いて説明したスピーカ１５、マイクロフォン１７、キー操作部１６（操作部）、及び表示部１４に加えて、アンテナ２１、無線通信部２２（通信部）、タイマ部２３、メモリ２４、光センサ２５、ＧＰＳ信号処理部２６（移動検出部）、歩数計測部２７（移動検出部）、及び制御部２８を備えており、無線通信ネットワーク（図示省略）を介した通話及び通信のみならず、通話を行うことなく擬似的に通話を装う擬似通話が可能である。
【００１６】
無線通信部２２は、アンテナ２１を介して無線通信ネットワークの一部をなす基地局（図示省略）との間で無線信号の送受信を行うことで、その無線通信ネットワークを利用する他の携帯電話機のユーザ（通話先）との間の通話を実現するものである。尚、この無線通信部２２は、他のユーザとの間の通話のみならず、電子メールの送受信やホームページの閲覧等も実現可能である。
【００１７】
タイマ部２３は時刻を計時するものであり、現在時刻を示す情報を制御部２８に出力する。また、タイマ部２３は、制御部２８によって指示された時間を指示されたタイミングで計時し、計時を終了した場合にはその旨を示す信号を制御部２８に出力する。メモリ２４は、文字、記号、画像等の各種情報、携帯電話機１の各種機能を実現するプログラム、及び擬似通話のために用いられる音声データを記憶するものであり、例えば不揮発性の半導体メモリによって実現される。
【００１８】
光センサ２５は、携帯電話機１の外部の明るさを検出するものであり、フォトダイオード、フォトトランジスタ、フォトレジスタ（例えば硫化カドミウム （ＣｄＳ）セル）等の光検出素子を備える。この光センサ２５は、図１においては図示を省略しているが、例えば受光面を表面１２ｃ側に露出させた状態で、或いは受光面を表面１２ｃとは反対の面（表示部１４の表示領域１４ａが露出していない面）側に露出させた状態で、第二筐体１２に取り付けられる。
【００１９】
ＧＰＳ信号処理部２６は、ＧＰＳ（Global Positioning System、全地球測位システム）の衛星から送出される位置検出用信号（ＧＰＳ信号）を受信し、受信したＧＰＳ信号に基づいて携帯電話機１の位置（緯度及び経度）を示す位置情報を算出する。また、過去に算出した位置情報を記憶しており、新たに算出した位置情報と過去に算出した位置情報とを用いて携帯電話機１の移動の有無を検出する。
【００２０】
歩数計測部２７は、加速度センサを備えており、この加速度センサの検出結果を用いて携帯電話機１を携帯するユーザの歩数を計測する。この歩数測定部２７は、携帯電話機１の移動の有無を検出するためにも用いられる。尚、歩数計測部２７に設けられる加速度センサは、機械式、光学式、半導体式の何れの方式のものでも良く、任意の検出軸数のものを用いることができる。但し、コスト面及び実装面を考慮すると半導体式のものが望ましく、また検出精度を考慮すると検出軸数が多いもの（例えば、３軸のもの）が望ましい。
【００２１】
制御部２８は、図２に示す各ブロックを制御することにより、携帯電話機１の動作を統括的に制御する。例えば、携帯電話機１のユーザによるキー操作部１６の操作に応じて、無線通信部２２を制御することによって通話又は通信を実現する。この制御部２８は、無線通信部２２で実現される通話状態を検出する通話状態検出部２８ａ（検出部）と、携帯電話機１のユーザが擬似的に通話を装う擬似通話を実現する擬似通話部２８ｂとを備える。
【００２２】
通話状態検出部２８ａは、無線通信ネットワークを利用する他の携帯電話機のユーザが終話操作を行った場合又は電波状態が悪化した場合に、無線通信ネットワークを介して送信されてくる接続を切断する旨の信号が送信されてきたときに通話切断を検出する。或いは、通話が行われている状態において、携帯電話機１のユーザがキー操作部１６に設けられた終話キー１６ｃを操作した場合に通話切断を検出する。
【００２３】
擬似通話部２８ｂは、携帯電話機１のユーザがキー操作部１６に設けられた通話キー１６ｂを操作して擬似通話機能を動作させる指示を行った場合に、メモリ２４に記憶された音声データを読み出してスピーカ１５に出力することにより擬似通話を実現する。また、擬似通話部２８ｂは、通話状態検出部２８ａによって通話切断が検出された場合に、制御部２８の制御の下で擬似通話を開始する。これは、通話が切断された場合に、携帯電話機１のユーザが煩雑な操作をすることなく速やかに擬似通話に移行させることで防犯効果を高めるためである。
【００２４】
通話状態検出部２８ａによって通話切断が検出された場合に、擬似通話を自動的に開始するか否かはユーザが予め設定することができる。また、擬似通話を自動的に開始させる場合における開始条件もユーザが予め設定することができる。この開始条件としては、例えば時間帯、明るさの閾値、携帯電話機１の移動の有無等が挙げられる。かかる開始条件を設定することで、例えばある時間帯にのみ擬似通話を自動開始させ、携帯電話機１の周囲の明るさが閾値以下である場合にのみ擬似通話を自動開始させ、或いは携帯電話機１を携帯するユーザの移動による携帯電話機１の移動が検出されている場合にのみ擬似通話を自動開始させるといったことが可能になる。尚、１つの開始条件のみを設定することも、複数の開始条件を組み合わせた設定を行うことも可能である。
【００２５】
次に、上記構成における携帯電話機１の動作について説明する。図３は、携帯電話機１における擬似通話の自動開始動作をフローチャートである。図３に示す処理は、携帯電話機１のユーザが携帯電話機１のキー操作部１６に設けられた通話キー１６ｂを操作して他の携帯電話機のユーザからの着信に応答した場合、或いは携帯電話機１のユーザが行った発信に対して他の携帯電話機のユーザが応答した場合に開始される。
【００２６】
図３に示す処理が開始されると、まず制御部２８の制御の下で、通話を開始させるための通話開始処理が無線通信部２２で行われる（ステップＳ１１：通信ステップ）。この通話開始処理が終了すると、携帯電話機１のユーザと他の携帯電話機のユーザとの間の通話が可能になる。通話が行われている間は、通話状態検出部２８ａによって携帯電話機１のユーザと他の携帯電話機のユーザとの間の通話状態が常時検出されており、通話切断を示す検出結果が通話状態検出部２８から出力されたか否かが制御部２８によって判断されている（ステップＳ１２：検出ステップ）。
【００２７】
通話状態検出部２８から通話切断を示す検出結果が出力されない場合には、ステップＳ１２の判断結果は「ＮＯ」になり、ステップＳ１２の処理が繰り返される。これに対し、通話状態検出部２８から通話切断を示す検出結果が出力されると、ステップＳ１２の判断結果は「ＹＥＳ」になり、制御部２８の制御の下で、通話を終了させるための通話終了処理が無線通信部２２で行われる（ステップＳ１３）。
【００２８】
通話終了処理が終了すると、擬似通話を自動的に開始させる設定（自動開始設定）の有無が制御部２８によって判断される（ステップＳ１４）。ユーザによって自動開始設定がなされていない場合には、ステップＳ１４の判断結果が「ＮＯ」になり、図３に示す一連の処理が終了する。これに対し、ユーザによって自動開始設定がなされている場合には、ステップＳ１４の判断結果が「ＹＥＳ」になり、擬似通話を自動開始するための条件設定の有無が制御部２８によって判断される（ステップＳ１５）。
【００２９】
ユーザによって擬似通話を自動開始するための条件設定がなされていない場合には、ステップＳ１５の判断結果が「ＮＯ」になり、制御部２８の制御の下で、擬似通話を開始させるための擬似通話開始処理が擬似通話部２８ｂで行われる（ステップＳ１６：擬似通話ステップ）。具体的には、メモリ２４に記憶されている音声データを読み出し、読み出した音声データをアナログ信号に変換し、変換したアナログ信号をスピーカ１５に出力する処理が開始される。これにより、スピーカ１５からは音声データに基づいた擬似通話のための音声が出力されて擬似通話が自動的に開始される。このため、通話が切断された場合であっても、ユーザは携帯電話機１を耳から離すことなく擬似通話を開始することができる。
【００３０】
擬似通話が行われている間は、携帯電話機１のユーザによってキー操作部１６に設けられた終話キー１６ｃが操作されて擬似通話の終了が指示されたか否かが制御部２８によって判断される（ステップＳ１７）。ユーザによって終話キー１６ｃが操作されない場合には、ステップＳ１７の判断結果は「ＮＯ」になり、ステップＳ１７の処理が繰り返される。これに対し、ユーザによって終話キー１６ｃが操作されると、ステップＳ１７の判断結果は「ＹＥＳ」になり、制御部２８の制御の下で、擬似通話を終了させるための擬似通話終了処理が擬似通話部２８ｂで行われ（ステップＳ１８）、これにより図３に示す一連の処理が終了する。
【００３１】
一方、ユーザによって擬似通話を自動開始するための条件設定がなされている場合には、ステップＳ１５の判断結果が「ＹＥＳ」になり、その条件設定によって設定された条件が成立しているか否かが制御部２８で判断される（ステップＳ１９）。例えば、擬似通話を自動開始するための条件として時間帯帯が設定されている場合には、制御部２８はタイマ部２３から得られる現在時刻がその時間帯に含まれるか否かを判断する。また、上記の条件として明るさの閾値が設定されている場合には、制御部２８は光センサ２５の検出結果で示される明るさが、設定された閾値以上であるか否かを判断する。更に、上記の条件として携帯電話機１の移動の有無が設定されている場合には、ＧＰＳ信号処理部２６又は歩数計測部２７で移動が検出されているか否かを判断する。
【００３２】
ユーザによって設定された以上の条件が成立する場合には、ステップＳ１９の判断結果が「ＹＥＳ」になり、擬似通話が自動的に開始される（ステップＳ１６）。そして、擬似通話中に携帯電話機１のユーザによって終話キー１６ｃが操作されたか否かが判断され（ステップＳ１７）、操作がされた場合には通話終了処理が行われて（ステップＳ１８）、図３に示す一連の処理が終了する。これに対し、ユーザによって設定された以上の条件が成立しない場合には、ステップＳ１９の判断結果が「ＮＯ」になり、擬似通話が自動開始されることなく、図３に示す一連の処理が終了する。
【００３３】
ここで、擬似通話中に他の携帯電話機のユーザからの着信があった場合には、ユーザがキー操作部１６に設けられた通話キー１６ｂを操作すれば、擬似通話が終了して他のユーザと通話を行うことが可能になる。しかしながら、擬似通話中にいわゆるワン切り（携帯電話機１の着信音を１，２回程度鳴らした直後に切断することにより、携帯電話機１の着信履歴に自分の電話番号を残す手法）があった場合には、擬似通話及び他人との通話の何れもできない状態になる。このため、ユーザが再度擬似通話を行うには、従来のように、通話キー１６ｂを操作して擬似通話機能を動作させる指示を行う必要がある。
【００３４】
本実施形態の携帯電話機１は、いわゆるワン切りが行われた場合に、中断した擬似通話を自動的に再開する動作（自動再開動作）が可能である。以下、ワン切りが行われた場合の自動再開動作について説明する。図４は、携帯電話機１における擬似通話の自動再開動作を示すフローチャートである。図４に示す処理は、ユーザの指示により擬似通話が開始された場合、又は図３に示す処理によって擬似通話が自動開始された場合に開始される。
【００３５】
擬似通話の開始により図４に示す処理が開始されると、着信信号が検出されたか否かが制御部２８によって判断される（ステップＳ２１）。着信信号が検出されない場合には、ステップＳ２１の判断結果が「ＮＯ」になり、ステップＳ２１の処理が繰り返される。これに対し、着信信号が検出されると、ステップＳ２１の判断結果が「ＹＥＳ」になり、制御部２８の制御の下で、擬似通話を中断させるための擬似通話中断処理が擬似通話部２８ｂで行われる（ステップＳ２２）。具体的には、擬似通話で用いていた音声データを特定する情報、その音声データの読み出しを中断した位置を示す情報の情報が擬似通話部２８ｂに一時的に記憶された後に、音声データの読み出しが中断される。
【００３６】
以上の処理が終了すると、制御部２８はタイマ部２３を制御して計時処理を行い、所定時間内に着信が終了したか否かを判断する（ステップＳ２３）。ここで、上記の所定時間は、着信音を１，２回程度鳴らすのに要する時間：例えば５秒程度）に設定されており、この所定時間内に着信が終了した場合には、ワン切りが行われたと制御部２８が判断することができる。
【００３７】
ステップＳ２３において、所定の時間内に着信が終了したと判断した場合（判断結果が「ＹＥＳ」である場合）には、制御部２８は擬似通話部２８ｂを制御して、擬似通話を再開させるための擬似通話再開処理を開始させる（ステップＳ２４）。具体的には、ステップＳ２２の処理にて一時的に記憶した情報に基づいてメモリ２４から読み出すべき音声データ及びその読み出し開始位置を特定し、その音声データの読み出しを開始させる。
【００３８】
メモリ２４から読み出された音声データは、擬似通話部２８ｂでアナログ信号に変換されてスピーカ１５に出力される。これにより、スピーカ１５からは音声データに基づいた擬似通話のための音声が出力されて擬似通話が自動的に再開される。このため、擬似通話の最中にいわゆるワン切りが行われた場合であっても、ユーザは携帯電話機１を耳から離すことなく擬似通話を再開することができる。
【００３９】
これに対し、ステップＳ２３で所定の時間内に着信が終了しなかったと判断した場合（判断結果が「ＮＯ」である場合）には、制御部２８の制御の下で、通話を開始させるための通話開始処理が無線通信部２２で行われる（ステップＳ２５）。この通話開始処理によって、ステップＳ２１で検出された着信信号を発した他の携帯電話機のユーザとの間の通話が可能になる。
【００４０】
以上説明した通り、本実施形態の擬似通話装置及び方法によれば、通話状態検出部２８ａによって通話切断が検出されると、制御部２８が擬似通話部２８ｂを制御して自動的に擬似通話を開始している。このため、通話が切断された場合にユーザの煩雑な操作を必要とすることなく速やかに擬似通話を行うことができ、この結果として防犯効果を向上させることができる。
【００４１】
また、擬似通話が行われている状態のときに着信があった場合には、制御部２８が擬似通話部２８ｂを制御して擬似通話を一旦中断させた後にいわゆるワン切りであるか否かを判断し、いわゆるワン切りであると判断した場合には再度擬似通話部２８ｂを制御して中断した擬似通話を自動的に再開させている。このため、いわゆるワン切りが行われた場合であっても、ユーザの煩雑な操作を必要とすることなく速やかに擬似通話を再開させることができ、この結果として防犯効果を向上させることができる。
【００４２】
以上、本発明の一実施形態による擬似通話装置及び方法について説明したが、本発明は上記実施形態に制限されず、本発明の範囲内で自由に変更が可能である。例えば、携帯電話機１がスケジュール管理機能を備える場合には、擬似通話を自動的に開始させる開始条件をスケジュール管理機能に連動させても良い。スケジュール管理機能と連動させることで、例えば擬似通話を自動的に実行させる時間帯を平日と休日とで異なる時間帯に設定したり、携帯電話機１の移動検出による擬似通話の自動開始は外出予定がある場合に制限するといった使い方が可能になる。
【００４３】
また、携帯電話機１が備える通信機能を用いて日の出・日の入りの時刻を取得し、この取得した情報に基づいて擬似通話を自動的に実行させる時間帯を自動的に変えてもよい。これにより、夏場と冬場との日照時間の違いに自動的に対応することができる。
【符号の説明】
【００４４】
１６      キー操作部
２２      無線通信部
２５      光センサ
２６      ＧＰＳ信号処理部
２７      歩数計測部
２８      制御部
２８ａ    通信状態検出部
２８ｂ    擬似通話部
【図１】
2011009941.tif 000003
【図２】
2011009941.tif 000004
【図３】
2011009941.tif 000005
【図４】
2011009941.tif 000006